(57)【特許請求の範囲】
【請求項１】
折り機であって、
クロス折りモジュール（１０）が設けられており、該クロス折りモジュール（１０）が、
−枚葉紙支持装置（１２）を有しており、該枚葉紙支持装置（１２）に、クロス折り走入方向（ＫＢ）で走入した１つの枚葉紙（３０，３２）が、搬送平面（ＴＥ）で載置するようになっており、
−クロス折りモジュール（１０）が、クロス折り走入方向（ＫＢ）に調節可能な端ストッパ装置（２４）を有しており、該端ストッパ装置（２４）に、走入した１つの枚葉紙（３０，３２）が、その前方の縁部で接触するようになっており、
−クロス折りモジュール（１０）が、枚葉紙支持装置（１２）の上方に配置された、枚葉紙走入方向（ＫＢ）に延びる昇降運動可能なクロス折り用折りナイフ（２６）を有しており、
−クロス折りモジュール（１０）が、枚葉紙支持装置（１２）の下方でクロス折り用折りナイフ（２６）と反対の側に配置された折りローラ対を有しており、該折りローラ対が、折りローラギャップを形成しており、該折りローラギャップ内に１つの枚葉紙（３０，３２）が、折りのためにクロス折り用折りナイフ（２６）によって突き込まれるようになっており、
クロス折りモジュール（１０）に後置された三回折りモジュールが設けられており、該三回折りモジュールに、クロス折りモジュール（１０）で折られた１つの枚葉紙（３０，３２）が、クロス折り走入方向（ＫＢ）に対して垂直に三回折り走入方向（ＤＢ）で走入するようになっており、前記三回折りモジュールが、三回折り走入方向（ＤＢ）に延びる三回折り用折りナイフ（２８）を有している形式のものにおいて、
−端ストッパ装置（２４）とクロス折り用折りナイフ（２６）とが、クロス折り走入方向（ＫＢ）でクロス折りモジュール（１０）に走入した１つの枚葉紙（３０，３２）の長さに関連してクロス折り走入方向（ＫＢ）に調節可能であり、これによって、前記前方の縁部で端ストッパ装置（２４）に接触した１つの枚葉紙（３０，３２）の中心線または別の折り線が、三回折り用折りナイフ（２８）の折りナイフ平面（ＦＥ）にほぼ位置しており、クロス折り用折りナイフ（２６）の、クロス折り走入方向（ＫＢ）で見て上流側の端部が、端ストッパ装置（２４）に接触した枚葉紙（３０，３２）の後方の縁部の上方にほぼ位置していることを特徴とする、折り機。
【発明の詳細な説明】
【技術分野】
【０００１】
本発明は、折り機に用いられるクロス折りモジュール（回し折りモジュールもしくは直角折りモジュール）であって、
−枚葉紙支持装置が設けられており、該枚葉紙支持装置に、クロス折り走入方向で走入した１つの枚葉紙が、搬送平面で載置するようになっており、
−クロス折り走入方向に調節可能な端ストッパ装置が設けられており、該端ストッパ装置に、走入した１つの枚葉紙が、その前方の縁部で接触するようになっており、
−枚葉紙支持装置の上方に配置された、枚葉紙走入方向に延びる昇降運動可能なクロス折り用折りナイフが設けられており、
−枚葉紙支持装置の下方でクロス折り用折りナイフと反対の側に配置された折りローラ対が設けられており、該折りローラ対が、折りローラギャップを形成しており、該折りローラギャップ内に１つの枚葉紙が、折りのためにクロス折り用折りナイフによって突き込まれるようになっている形式のものに関する。
【０００２】
さらに、本発明は、折り機であって、請求項１記載のクロス折りモジュールと、該クロス折りモジュールに後置された三回折りモジュール（四つ折りモジュール）とが設けられており、該三回折りモジュールに、クロス折りモジュールで折られた１つの枚葉紙が、クロス折り走入方向に対して垂直に三回折り走入方向で走入するようになっており、三回折りモジュールが、三回折り走入方向に延びる三回折り用折りナイフを有している形式のものに関する。
【背景技術】
【０００３】
フランス国特許出願公開第１２０７５８７号明細書に基づき、折り機が公知である。この公知の折り機はクロス折りモジュールを有している。このクロス折りモジュールは、枚葉紙のクロス折り走入方向に延びるクロス折り用折りナイフを有している。このクロス折り用折りナイフは、前方の縁部で端ストッパ装置に接触した走入した１つの枚葉紙を、クロス折り用折りナイフの下方に配置された折りローラ対の折りローラギャップ内に突き込む。これによって、枚葉紙が折られる。その後、この折られた枚葉紙はクロス折り走入方向に対して垂直にクロス折りモジュールから三回折りモジュールに供給される。この三回折りモジュールは、三回折り走入方向に延びる三回折り用折りナイフを有している。この三回折り用折りナイフは、クロス折りモジュールから到来した枚葉紙を、三回折り用折りナイフの下方に配置された２つの折りローラ内に突き込む。これによって、枚葉紙がクロス折りモジュールでの折りに対して垂直にもう１回折られる。
【０００４】
枚葉紙長さに適合させるために、三回折りモジュールの折りローラと折りナイフとは、三回折りモジュール内に走入した１つの枚葉紙を、三回折り走入方向に延びる中心線に沿って折ることができるように、三回折り走入方向に対して横方向に調節可能である。
【０００５】
クロス折りモジュールの、枚葉紙走入方向に規定された折りナイフの長さは、折りたい最大の枚葉紙の長さに規定されているので、折りナイフは常にほぼ全クロス折りモジュールにわたって延びている。１つの短い枚葉紙がクロス折りモジュールで折られる場合でも、この短い枚葉紙は、端ストッパ装置に当接するまで折りナイフの全長の下方で運動させられなければならない。したがって、折りナイフの下方で進行しなければならない枚葉紙の道程が極めて遠いので、折りナイフが最初比較的遅れて作動させられ得る。しかし、これによって、折り機の作業速度が制限される。
【０００６】
ドイツ連邦共和国特許出願公開第１０１１９４１５号明細書に基づき、クロス折りモジュールが公知である。この公知のクロス折りモジュールは、このクロス折りモジュールの枚葉紙入口に続いて枚葉紙支持装置を有している。この枚葉紙支持装置は、互いに間隔を置いて配置された複数の搬送ベルトによって形成される。これらの搬送ベルトは、入口側で駆動される共通のベルトローラと、入口から遠い方のベルトローラとを循環する。搬送ベルトの上側の区分は搬送平面を形成している。この搬送平面の上方に配置されたクロス折り用折りナイフは、端ストッパに接触した１つの枚葉紙を２つの折りローラの間に突き込むために働く。両折りローラは枚葉紙支持装置の下方に配置されている。枚葉紙は、クロス折りモジュールへの走入時に端ストッパに対して押さえ装置によって押さえられる。枚葉紙長さに適合させるためには、端ストッパ装置が枚葉紙走入方向に調節可能である。しかし、折りナイフは、フランス国特許出願公開第１２０７５８７号明細書に基づき公知のクロス折りモジュールと同様に、ほぼ全クロス折りモジュールにわたって延びているので、１つの短い枚葉紙が、このクロス折りモジュールでも、比較的長い道程を折りナイフの下方で進行しなければならない。これによって、作業速度が制限される。
【特許文献１】フランス国特許出願公開第１２０７５８７号明細書
【特許文献２】ドイツ連邦共和国特許出願公開第１０１１９４１５号明細書
【発明の開示】
【発明が解決しようとする課題】
【０００７】
本発明の課題は、折り機の高い作業速度を可能にするクロス折りモジュールを簡単な手段によって提供することである。
【課題を解決するための手段】
【０００８】
この課題を解決するために本発明のクロス折りモジュールでは、クロス折り用折りナイフが、クロス折り走入方向に調節可能であるようにした。
【０００９】
さらに、この課題を解決するために本発明の折り機では、端ストッパ装置とクロス折り用折りナイフとが、クロス折り走入方向でクロス折りモジュールに走入した１つの枚葉紙の長さに関連して調節可能であり、これによって、前方の縁部で端ストッパ装置に接触した１つの枚葉紙の中心線または別の折り線が、三回折り用折りナイフの折りナイフ平面にほぼ位置しており、クロス折り用折りナイフの、クロス折り走入方向で見て上流側の端部が、端ストッパ装置に接触した枚葉紙の後方の縁部の上方にほぼ位置しているようにした。
【発明の効果】
【００１０】
本発明によるクロス折りモジュールでは、端ストッパ装置だけでなくクロス折り用折りナイフもクロス折り走入方向に調節可能である。これによって、枚葉紙を三回折り部で、三回折り走入方向に延びる中心線または（たとえば観音折りまたはジグザグ折りのための）別の折り線に沿って折ることができるように、クロス折り部に走入した枚葉紙を位置決めすることが可能となる。クロス折り用折りナイフは、その後方の端部が枚葉紙の後方の縁部の上方に位置するように調節することができる。これによって、枚葉紙がクロス折り用折りナイフの下方で進行しなければならない道程が最小となる。したがって、クロス折り用折りナイフを早期に作動させることができる。これによって、折り機の高い作業速度が可能となる。
【発明を実施するための最良の形態】
【００１１】
以下に、本発明を実施するための最良の形態を図面につき詳しく説明する。
【００１２】
折り機のクロス折りモジュール１０は、ドイツ連邦共和国特許出願公開第１０１１９４１５号明細書に基づき公知のクロス折りモジュールと同様に、側方の間隔を置いて互いに平行に配置された複数の搬送ベルト１２を有している。これらの搬送ベルト１２は、クロス折りモジュール１０の枚葉紙入口に近い方の駆動されるベルトローラ１４と、クロス折りモジュール１０から遠い方のベルトローラ１６とを循環する。相並んで配置された搬送ベルト１２の上側の区分１３は搬送平面ＴＥに位置している。
【００１３】
この搬送平面ＴＥの上方には押さえ装置１８が配置されている。この押さえ装置１８によって、クロス折り走入方向ＫＢで走入した枚葉紙が、このクロス折り走入方向ＫＢに調節可能な端ストッパ２４に当接するまで押さえられる。押さえ装置１８は、側方の間隔を置いて互いに平行に配置された、クロス折り走入方向ＫＢに延びる少なくとも２つの押さえ条片２０によって形成される。これらの押さえ条片２０の下側にはブラシ２２が配置されている。このブラシ２２は、走入した枚葉紙を押さえ、この走入した枚葉紙の側方のずれも阻止する。
【００１４】
クロス折りモジュール１０の中間で搬送平面ＴＥの上方に、クロス折り走入方向に延びるクロス折り用折りナイフ２６が配置されている。このクロス折り用折りナイフ２６によって、１つの枚葉紙が搬送平面ＴＥを通して折りローラ対（図示せず）の間に突き込まれる。この折りローラ対によって枚葉紙が折られる。折りローラ対に続いてカッタローラ対（図示せず）が配置されていてよい。
【００１５】
クロス折りモジュール１０で折られた１つの枚葉紙３０は、クロス折り走入方向ＫＢに対して垂直に三回折り走入方向ＤＢで三回折り部に搬送される。この三回折り部は、図１および図２にその三回折り用折りナイフ２８によって示してある。
【００１６】
クロス折り用折りナイフ２６だけでなく端ストッパ２４も、二重矢印によって示したように、クロス折り走入方向に、適切な駆動装置または手によって調節可能である。
【００１７】
図１には、長さＬ１を備えた１つの長い枚葉紙３０を折るためのクロス折り用折りナイフ２６と端ストッパ２４との調整状態が示してある。この端ストッパ２４は、枚葉紙３０の、三回折り走入方向ＤＢに延びる、三回折り用折りナイフ２８の折りナイフ平面ＦＥに位置する中心線または別の折り線が、三回折り用折りナイフ２８の高さに位置しており、これによって、枚葉紙３０が、クロス折りモジュール１０での折りに続いて、三回折り部に設けられた三回折り用折りナイフ２８によって中心線または別の折り線に沿って折られるように調整されている。
【００１８】
クロス折り用折りナイフ２６は、クロス折りモジュール１０の枚葉紙入口に近い方の上流側の端部２７、すなわち、後方の端部２７が、走入した１つの枚葉紙３０の後方の枚葉紙縁部の上方に位置するように調整されている。したがって、クロス折り用折りナイフ２６の下方に進行しなければならない枚葉紙３０の道程は丁度その枚葉紙長さＬ１に相当している。
【００１９】
図２では、端ストッパ２４とクロス折り用折りナイフ２６とが同じ形式で、長さＬ２を備えた１つの短い枚葉紙３２を折るために調整されている。この場合、この枚葉紙３２の、三回折り走入方向に延びる中心線は、三回折り用折りナイフ２８の高さに位置しており、クロス折り用折りナイフ２６の、クロス折りモジュール１０の枚葉紙入口に近い方の後方の端部２７は、走入した１つの枚葉紙３２の後方の枚葉紙縁部の上方に位置している。したがって、クロス折り用折りナイフ２６の下方に進行しなければならない枚葉紙３２の道程は、短い枚葉紙長さＬ２に相当している。
【図面の簡単な説明】
【００２０】
【図１】折り機の、１つの長い枚葉紙を折るために調整されたクロス折りモジュールの主構成エレメントの概略的な側面図である。
【図２】図１のクロス折りモジュールを、１つの短い枚葉紙を折るための調整状態で示す図である。
【符号の説明】
【００２１】
１０  クロス折りモジュール、  １２  搬送ベルト、  １３  区分、  １４，１６  ベルトローラ、  １８  押さえ装置、  ２０  押さえ条片、  ２２  ブラシ、  ２４  端ストッパ、  ２６  クロス折り用折りナイフ、  ２７  端部、  ２８  三回折り用折りナイフ、  ３０，３２  枚葉紙、  ＤＢ  三回折り走入方向、  ＦＥ  折りナイフ平面、  ＫＢ  クロス折り走入方向、  Ｌ１，Ｌ２  枚葉紙長さ、  ＴＥ  搬送平面
【図１】
0004800652.tif 000002
【図２】
0004800652.tif 000003